(57)【要約】      （修正有）【課題】簡単な構造を有し、操作が簡単で壊れにくい髪編み具を提供する。【解決手段】髪編み具１は、棒状の髪編み杵１１と、髪編み杵１１に並列される複数の髪止め杵１２，１３，１４と、髪編み杵１１の略中央から延出する仕切り部２と、髪編み杵１１の両端部から延出し、先端に仕切り部２側へ突出する係止爪３ａを有する押え部３とを有する。さらに、髪編み杵１１及び複数の髪止め杵１２，１３，１４のうち隣り合う杵を連結する複数の連結杵２１，２２，２３とを備え、複数の髪止め１２，１３，１４と複数の連結杵２１，２２，２３とで蛇行線を形成している。【選択図】図１
0003173351.tif 000002
【実用新案登録請求の範囲】
【請求項１】
髪を編む込むための髪編み具であって、
略棒状をなし第１の方向に延びる髪編み杵と、
前記髪編み杵の前記第１の方向の略中央から前記第１の方向に垂直な第２の方向の一側へ延出する仕切り部と、
前記髪編み杵の両端部から前記第２の方向の一側へ延出する押え部と、
略棒状をなし前記第１の方向に延びるとともに前記髪編み杵の前記第２の方向の他側に並列される複数の髪止め杵と、
棒状をなし前記第２の方向に延び、前記髪編み杵及び前記複数の髪止め杵のうち隣接する２つの杵を連結する複数の連結杵と、を備え、
前記複数の髪止め杵及び複数の連結杵が、蛇行線を形成していることを特徴とする髪編み具。
【請求項２】
前記押え部が、先端部に前記仕切り部側へ突出する係止爪を有する請求項１に記載の髪編み具。
【考案の詳細な説明】
【技術分野】
【０００１】
この考案は、髪を編むための髪編み具に関する。
【背景技術】
【０００２】
従来、髪の毛の編み込みを補助する髪編み具が各種提案されおり、例えば、特許文献１では、２枚重ねたプラスチック板の左右両端をそれぞれバタフライ状に開閉できるよう２枚のプラスチック板の中央部を一対の蝶つがいで連結した頭髪編み器が提案されている。
【先行技術文献】
【特許文献】
【０００３】
【特許文献１】特開２００５−２７９０８９号公報
【考案の概要】
【考案が解決しようとする課題】
【０００４】
しかし、特許文献１の頭髪編み器は、蝶つがい部を開閉して髪の束を繰り返し出し入れする必要が有るため、操作が煩雑であり、また、プラスチック板を蝶つがいで止める構造のため、重くて化粧ポーチ等に入れて持ち歩くには不向きである。さらに、作動部を備えるため壊れやすいという問題が有る。
【０００５】
本考案は、上記課題に鑑みてなされたものであり、構造が単純で簡単に操作できるとともに壊れにくく、軽量で化粧ポーチ等に入れて持ち運ぶことができる髪編み具の提供を目的とする。
【課題を解決するための手段】
【０００６】
上記課題を解決するためになされた考案は、髪を編む込むための髪編み具であって、略棒状をなし第１の方向に延びる髪編み杵と、前記髪編み杵の前記第１の方向の略中央から前記第１の方向に垂直な第２の方向の一側へ延出する仕切り部と、前記髪編み杵の両端部から前記第２の方向の一側へ延出する押え部と、略棒状をなし前記第１の方向に延びるとともに前記髪編み杵の前記第２の方向の他側に並列される複数の髪止め杵と、棒状をなし前記第２の方向に延び、前記髪編み杵及び前記複数の髪止め杵のうち隣接する２つの杵を連結する複数の連結杵と、を備え、前記複数の髪止め杵及び複数の連結杵が、蛇行線を形成していることを特徴とする。
【０００７】
本考案の髪編み具は、このように簡単な構造を備えるため、簡単な操作で髪を編むことができるとともに軽量であり、作動部を有さないため、壊れにくい。
【０００８】
本考案の髪編み具は、前記押え部が、先端部に前記仕切り部側へ突出する係止爪を有することが好ましい。これにより、髪押え部で押えた髪を、より外れにくくすることができる。
【考案の効果】
【０００９】
本考案の髪編み具によれば、構造が簡単なため、簡単な操作で髪を編むことができるとともに壊れにくく、軽量なため、化粧ポーチ等に入れて持ち運ぶことができる。
【図面の簡単な説明】
【００１０】
【図１】本考案の第１実施形態に係る髪編み具の正面図である。
【図２】図１の髪編み具の左側面図である。
【図３】図１の髪編み具の斜視図である。
【図４】図１の髪編み具を用いて髪を編む手順の説明図である。
【考案を実施するための形態】
【００１１】
以下、本考案の髪編み具の実施形態について詳述する。ただし、本考案の髪編み具は以下の実施形態に限られるものではない。
【００１２】
図１は、本考案の第１実施形態に係る髪編み具１である。髪編み具１は、樹脂により一体成型され、髪編み杵１１と、第１から第３の髪止め杵１２，１３，１４と、仕切り部２と、一対の押え部３，３と、第１から第３の連結杵２１，２２，２３とを備えている。
尚、以下の説明において、図１の左右（第１の方向）を髪編み具１の左右とし、図１の上下方向（第２の方向）を髪編み具１の上下方向とする。
尚、本考案の髪編み具は、一体成型に限らず、別途成型された複数の部材をつなぎ合わせて形成してもよい。
【００１３】
髪編み杵１１は、図１に示すように、左右一対の谷部とこの一対の谷部の間の山状の中央部とを有している。仕切り部２は、髪編み杵１１の中央部から上方に向かって延出する棒状の部分である。一対の押え部３，３は、髪編み杵１１の両端部から内側（仕切り部２側）へ湾曲しながら上方へ延出し、上端から仕切り部２側へ略水平に突出する係止爪３ａを有している。
【００１４】
図１に示すように、髪編み杵１１と左右一対の押え部３，３とが、合わせて略Ｗ字を形成しており、このＷ字の内側の領域を仕切り部２が左右に２分している。髪編み杵１１と仕切り部２と左右一対の押え部３，３とで、上方が開口した円形領域を左右に一対形成している。図１において符号４、４ａはそれぞれ右側の円形領域とその開口部を示し、符号５、５ａは、それぞれ左側の円形領域及びその開口部を示している。
【００１５】
髪編み杵１１の右側端部から下方に第１の連結杵２１が延出しており、これに続けて、第１の髪止め杵１２、第２の連結杵２２、第２の髪止め杵１３、第３の連結杵２３、第３の髪止め杵１４が設けられ、第１の連結杵２１から第３の髪止め杵１４までが全体として蛇行線を形成している。
【００１６】
髪編み杵１１と第１の連結杵２１と第１の髪止め杵１２とで、左側に開口部６ａを有する左右に長い横長領域６を形成している。同様に、第１の髪止め杵１２と第２の連結杵２２と第２の髪止め杵１３とで、右側に開口部７ａを有する左右に長い横長領域７を、第２の髪止め杵１３と第３の連結杵２３と第３の髪止め杵１４とで、右側に開口部８ａを有する左右に長い横長領域８を形成している。第３の髪止め杵１４の左端には、髪止め杵１４で固定した髪が左にずれるのを防止する垂れ下がり部１４ａが設けられている。
【００１７】
第１の髪止め杵１２及び第３の髪止め杵１４は左側がやや上がるように傾斜しており、第２の髪止め杵１３は右側がやや上がるように傾斜していて、横長領域６，７，８は、内側より開口部６ａ，７ａ，８ａが狭くなるように構成されている。これにより、横長領域６，７，８に差し入れた髪が、開口部６ａ，７ａ，８ａから出脱することが抑制されている。
図２及び図３に示すように、髪編み具１の各部は、上下方向や左右方向の幅より厚みが小さい扁平の断面を有する棒状に形成されている。これにより、髪留め具１と髪が接触する面積を大きくして髪を編んでいる途中に髪留め具１が滑り落ちてしまうことを抑制している。
【００１８】
以下、図４を用いて本考案の髪編み具１を用いて髪を編む方法について説明する。
図４は、セミロングの頭髪を有する女性の頭部を後方から見た図であり、後頭部の髪を編み込んで、後頭部中央に上下に延びる編み込み部を形成する場合の例である。
【００１９】
髪編み具１を用いて後頭部の髪を編む際には、図４（ａ）に示すように、まず、後頭部の左右方向の中央の上部に髪編み具１を配置する。次に、後頭部の左右方向の中央部分の髪束３１を髪留め具１の開口部４ａを通して円形領域４にスライドさせるように差し入れる。これにより、髪束３１は、右側の押え部３の係止爪３ａで円形領域４から出脱しないよう係止され、髪束３１は、髪編み杵１１の手前側を通ることとなる。
【００２０】
次に、髪束３１の円形領域４に差し入れた部分のすぐ下の部分を開口部６ａから右へスライドさせるようにして、横長領域６に差し入れ、続いて髪束３１のさらにその下の部分を開口部７ａから、左へスライドさせるようにして横長領域７に差し入れる。髪束３１を横長領域７に差し入れる場合には、髪束３１は、連結杵２１で係止されるため、髪留め具１から外れにくい。次に髪束３１を開口部８ａから右にスライドさせるようにして横長領域８に差し入れる。髪束３１は、図４（ａ）に示すように、髪編み杵１１及び第１から第３の髪止め杵１２，１３，１４の手前側と奥側（髪止め杵１１又は髪止め杵１２，１３，１４と後頭部の間）とを交互に通過して、前後にジグザグ上に折れ曲がった状態で、髪編み杵１１及び髪止め杵１２，１３，１４に固定される。
【００２１】
髪束３１を固定すると、図４（ｂ）に示すように、髪束３１の左隣の髪束３２を髪留め具１の開口部５ａを通して円形領域５にスライドさせるように差し入れる。（この操作を以下「操作（ｂ）」という。）これにより、髪束３２は、左側の押え部３の係止爪３ａで円形領域５から出脱しないよう係止される。
【００２２】
髪束３２を円形領域５に差し入れたら、図４（ｃ）に示すように、髪束３１の右側の髪束３３を、髪束３１及び髪束３２の上側を跨ぐようにして左側へスライドさせて、仕切り部２及び左右の押え部３，３の後側に通し、続いて髪束３３を右へスライドさせるようにして横開口部６ａから横長領域６へ差し入れる。（この操作を以下「操作（ｃ）」という。）
【００２３】
髪束３３を横長領域６に差し入れたら、髪束３２の左隣の髪束３４について、操作（ｂ）を行い、続いて髪束３３の右隣の髪束３５について操作（ｃ）を行う。以下、髪の束を取る位置を順次移動させながら、操作（ｂ）と操作（ｃ）とを繰り返す。髪の編み込み部の長さが所望の長さになると、髪の編み込みを終了して髪留め具１の上方にて輪ゴムや髪留め、ヘアピン等で編み込んだ髪が解けないように固定する。
【００２４】
本考案の髪止め具１は、上記の実施形態に限られるものではなく、樹脂の代わりに金属や木材を用いることもできる。髪編み杵と、仕切り部と、押え部とが円形領域ではなく多角形や楕円状の領域を形成してもよい。髪止め杵は２本以上であれば、３本でも５本以上でもよい。また、本考案の髪止め具１は、仕切り部の上端に左右に延出する係止爪を備えてもよいし、横長領域の開口部に横長領域から髪が出脱しないようにするための係止爪を設けてもよい。
また、本考案の髪留め具１は、姿勢を自由に変えて用いることができるため、後頭部の髪だけでなく側頭部や前頭部の髪を編むことも可能である。
【産業上の利用可能性】
【００２５】
本考案の髪編み具１は、簡単な操作で髪を編むことが可能であり、構造が簡単で壊れにくいため、髪編み具として、好適に採用することができる。
【符号の説明】
【００２６】
１  髪編み具
２  仕切り部
３  押え部
３ａ  係止爪
１１  髪編み杵
１２  第１の髪止め杵（髪止め杵）
１３  第２の髪止め杵（髪止め杵）
１４  第３の髪止め杵（髪止め杵）
２１  第１の連結杵（連結杵）
２２  第２の連結杵（連結杵）
２３  第３の連結杵（連結杵）
【図１】
0003173351.tif 000003
【図２】
0003173351.tif 000004
【図３】
0003173351.tif 000005
【図４】
0003173351.tif 000006